(57)【要約】【課題】装置の異常をメンテナンス業者等が遠隔で管理可能とする高周波温熱治療装置及びその遠隔管理システムを提供する。【解決手段】高周波温熱治療装置１は、患者１００の患部１０１を挟んで対向する一対の円盤電極３７，４７を備え、高周波を発振して一対の電極間に高周波電力を印加し、誘電加熱によって患部を温熱治療する装置において、装置１内の異常を検知する異常検知部（制御回路５５，Ｓ２，Ｓ５）と、異常検知部によって検知された異常に関する情報を、通信回線ＩＮＴを介して外部へ通報する通報部（制御回路５５，通信回路５９，Ｓ６）と、を備えている。【選択図】図４
2018130459.tif 000002
【特許請求の範囲】
【請求項１】
患者（１００）の患部（１０１）を挟んで対向する一対の電極（３７，４７）を備え、高周波を発振して前記一対の電極間に高周波電力を印加し、誘電加熱によって患部を温熱治療する高周波温熱治療装置（１）において、
装置内の異常を検知する異常検知部（５５，Ｓ２，Ｓ５）と、
前記異常検知部によって検知された異常に関する情報を、通信回線（ＩＮＴ）を介して外部へ通報する通報部（５５，５９，Ｓ６）と、
を備えた高周波温熱治療装置。
【請求項２】
前記異常検知部（Ｓ２）は、高周波の発振不良を検知する請求項１に記載の高周波温熱治療装置。
【請求項３】
前記異常検知部（Ｓ４）は、所定の動作指令に対して前記動作指令に対応する動作が完了しなかったことを検知する請求項１又は２に記載の高周波温熱治療装置。
【請求項４】
前記患者を載置可能であり且つ指令に応じて上下動作可能な寝台（１０）を備え、
前記異常検知部は、前記寝台を上下動作させる指令に対して上下動作が完了しなかったことを検知する請求項３に記載の高周波温熱治療装置。
【請求項５】
前記患者を載置する寝台（１０）と、
前記電極を支持する電極支持部（３３）と、
前記寝台を出し入れ可能な開口（３１ａ）を有し且つ前記電極支持部を指令に応じて前記開口周りに回転動作可能なガントリ（３０）と、を備え、
前記異常検知部は、前記電極支持部を回転動作させる指令に対して回転動作が完了しなかったことを検知する請求項３に記載の高周波温熱治療装置。
【請求項６】
前記患者を載置する寝台（１０）と、
前記電極を支持する電極支持部（３３）と、
前記寝台を出し入れ可能な開口（３１ａ）を有し且つ前記電極支持部を指令に応じて前記開口内で伸縮動作可能なガントリ（３０）と、を備え、
前記異常検知部は、前記電極支持部を伸縮動作させる指令に対して伸縮動作が完了しなかったことを検知する請求項３に記載の高周波温熱治療装置。
【請求項７】
請求項１乃至６のいずれか一項に記載の高周波温熱治療装置と、
通信回線（ＩＮＴ）を介して前記高周波温熱治療装置から通報された異常に関する情報を受信する管理サーバ（２０１）と、
を備えた高周波温熱治療装置の遠隔管理システム（２００）。
【発明の詳細な説明】
【技術分野】
【０００１】
本発明は、電極間に高周波電力を印加し、誘電加熱によって患部を温熱治療する高周波温熱治療装置及びその遠隔管理システムに関する。
【背景技術】
【０００２】
従来、一対の円盤電極間に患部を挟み、円盤電極間に周波数１ＭＨｚ〜１００ＭＨｚの高周波電力を供給してがん患部に高周波電磁界を照射し、誘電加熱により患部を加温することで、がん治療を行う高周波温熱治療装置が知られている（例えば、特許文献１参照。）。
【先行技術文献】
【特許文献】
【０００３】
【特許文献１】特許第５９４７４６９号公報
【発明の概要】
【発明が解決しようとする課題】
【０００４】
ところで、高周波温熱治療装置は、繰り返し使用することにより部品の不良やその他の原因により異常が発生する場合がある。このような場合、病院等における高周波温熱治療装置の操作者は、機器メーカや販売代理店などのメンテナンス業者等に連絡して修理を依頼することになる。
【０００５】
しかしながら、高周波温熱治療装置における異常の発生部位や内容を、操作者が正確に把握することは困難で、メンテナンス業者等への連絡にも時間がかかるという問題がある。このため、装置の異常をメンテナンス業者等が遠隔で管理することが求められているという課題があった。
【０００６】
本発明は、上述した課題に鑑みてなされたものであり、装置の異常をメンテナンス業者等が遠隔で管理可能とする高周波温熱治療装置及びその遠隔管理システムを提供することを目的とする。
【課題を解決するための手段】
【０００７】
上記目的を達成するためになされた請求項１に記載の発明は、患者（１００）の患部（１０１）を挟んで対向する一対の電極（３７，４７）を備え、高周波を発振して前記一対の電極間に高周波電力を印加し、誘電加熱によって患部を温熱治療する高周波温熱治療装置（１）において、装置内の異常を検知する異常検知部（５５，Ｓ２，Ｓ５）と、前記異常検知部によって検知された異常に関する情報を、通信回線（ＩＮＴ）を介して外部へ通報する通報部（５５，５９，Ｓ６）と、を備えている。
【０００８】
この構成によれば、異常検知部が装置内の異常を検知すると、通報部が異常検知部によって検知された異常に関する情報を、通信回線を介して外部へ通報する。よって、装置に異常が発生した場合に通信回線を介して外部のメンテナンス業者等へ自動的に通報が行われることにより、装置の異常をメンテナンス業者等が遠隔で管理可能な高周波温熱治療装置を提供することができるという効果を奏する。
【０００９】
請求項２に記載の発明は、前記異常検知部（Ｓ２）は、高周波の発振不良を検知する。
【００１０】
この構成によれば、高周波の発振不良が発生した場合に異常検知部がこれを検知し、通報部が高周波の発振不良を外部へ通報するので、通報を受けたメンテナンス業者等は交換部品である真空管を交換する準備等を行って速やかに修理することができるという効果を奏する。
【００１１】
請求項３に記載の発明は、前記異常検知部（Ｓ４）は、所定の動作指令に対して前記動作指令に対応する動作が完了しなかったことを検知する。
【００１２】
この構成によれば、所定の動作指令に対して動作指令に対応する動作が完了しなかった場合に異常検知部がこれを検知し、通報部が動作不良を外部へ通報することができるという効果を奏する。
【００１３】
請求項４に記載の発明は、前記患者を載置可能であり且つ指令に応じて上下動作可能な寝台（１０）を備え、前記異常検知部は、前記寝台を上下動作させる指令に対して上下動作が完了しなかったことを検知する。
【００１４】
この構成によれば、寝台を上下動作させる指令に対して上下動作が完了しなかった場合に異常検知部がこれを検知し、通報部が寝台の上下動作不良を外部へ通報することができるという効果を奏する。
【００１５】
請求項５に記載の発明は、前記患者を載置する寝台（１０）と、前記電極を支持する電極支持部（３３）と、前記寝台を出し入れ可能な開口（３１ａ）を有し且つ前記電極支持部を指令に応じて前記開口周りに回転動作可能なガントリ（３０）と、を備え、前記異常検知部は、前記電極支持部を回転動作させる指令に対して回転動作が完了しなかったことを検知する。
【００１６】
この構成によれば、電極支持部を回転動作させる指令に対して回転動作が完了しなかった場合に異常検知部がこれを検知し、通報部が電極支持部の回転動作不良を外部へ通報することができるという効果を奏する。
【００１７】
請求項６に記載の発明は、前記患者を載置する寝台（１０）と、前記電極を支持する電極支持部（３３）と、前記寝台を出し入れ可能な開口（３１ａ）を有し且つ前記電極支持部を指令に応じて前記開口内で伸縮動作可能なガントリ（３０）と、を備え、前記異常検知部は、前記電極支持部を伸縮動作させる指令に対して伸縮動作が完了しなかったことを検知する。
【００１８】
この構成によれば、電極支持部を伸縮動作させる指令に対して伸縮動作が完了しなかった場合に異常検知部がこれを検知し、通報部が電極支持部の伸縮動作不良を外部へ通報することができるという効果を奏する。
【００１９】
請求項７に記載の発明は、高周波温熱治療装置の遠隔管理システム（２００）であって、請求項１乃至６のいずれか一項に記載の高周波温熱治療装置と、通信回線（ＩＮＴ）を介して前記高周波温熱治療装置から通報された異常に関する情報を受信する管理サーバ（２０１）と、を備えている。
【００２０】
この構成によれば、高周波温熱治療装置が装置内の異常に関する情報を通報すると、管理サーバは通信回線を介して異常に関する情報を受信する。よって、メンテナンス業者等に設置された管理サーバにおいて高周波温熱治療装置の異常を遠隔で管理可能な遠隔管理システムを提供することができるという効果を奏する。
【図面の簡単な説明】
【００２１】
【図１】本発明の実施形態の高周波温熱治療装置遠隔管理システムの全体構成を示すシステム構成図である。
【図２】本実施形態の高周波温熱治療装置の概略構成を示す外観図である。
【図３】患者を治療中の高周波温熱治療装置を図２のIII線矢視にて示す図である。
【図４】高周波温熱治療装置の電気的回路構成を示すブロック図である。
【図５】異常検出通報処理の流れを示すフローチャートである。
【図６】管理サーバにおける画面表示の一例を示す図である。
【発明を実施するための形態】
【００２２】
以下、本発明を具体化した高周波温熱治療装置及びその遠隔管理システムの一実施形態について説明する。
【００２３】
まず、本実施形態の高周波温熱治療装置の遠隔管理システム２００（以下、遠隔管理システム２００と称する）の概略構成について、図１を参照しつつ説明する。
【００２４】
遠隔管理システム２００は、１又は複数の高周波温熱治療装置１と、通信回線ＩＮＴと、管理サーバ２０１とから構成される。
【００２５】
高周波温熱治療装置１は、がんの温熱治療に使用される装置であって、病院等の医療機関に設置される。本実施形態では、ＡＢＣ病院とＤＥＦ病院にそれぞれ１台ずつ設置された例を示している。高周波温熱治療装置１は、通信回線ＩＮＴに接続されており、管理サーバ２０１へ装置内の異常に関する情報を通信回線ＩＮＴ経由で送信する。
【００２６】
通信回線ＩＮＴは、公知のインターネット回線である。尚、通信回線ＩＮＴは、インターネット回線以外の専用ネットワーク回線であってもよい。
【００２７】
管理サーバ２０１は、高周波温熱治療装置１を製造する機器メーカやその販売代理店等のメンテナンス業者に設置されるサーバコンピュータであって、通信回線ＩＮＴに接続されている。管理サーバ２０１は、高周波温熱治療装置１の異常に関する情報を通信回線ＩＮＴ経由で受信することにより、医療機関に設定された１又は複数の高周波温熱治療装置１を遠隔管理することができるものである。
【００２８】
次に、高周波温熱治療装置１の構成について、図２乃至図５を参照しつつ説明する。図２は、高周波温熱治療装置１の概略構成を示す外観図、図３は、患者を治療中の高周波温熱治療装置１を図２のIII線矢視にて示す図、図４は、高周波温熱治療装置１の電気的回路構成を示すブロック図、図５は、異常検出に伴う一連の処理の流れを示すフローチャートである。
【００２９】
高周波温熱治療装置１は、図２等に示すように、寝台１０と、ガントリ３０と、高周波発生装置５０と、コンソール６０とを備えて構成される。
【００３０】
寝台１０は、治療対象の患者１００が横臥する寝台部であって、水平にスライド移動可能に構成され、ガントリ３０の開口部３１ａ内を出し入れするようになっている。また、寝台１０は、コンソール６０からの指令入力によって上下動作させることにより、高さを調整可能となっている。
【００３１】
ガントリ３０は、患者１００の患部１０１に高周波電力を照射する装置であって、本体３１中央に寝台１０を出し入れ可能な円形の開口３１ａが設けられている。ガントリ３０は、開口３１ａを挟む上下に一対の電極軸としての上部電極軸３４，下部電極軸３５を備えると共に、これらに着脱自在に装着される一対の電極アタッチメント３６，４６を備えている。
【００３２】
すなわち、開口３１ａ内側面の最上部において、絶縁材からなる電極支持部３３を貫通して金属製の上部電極軸３４が下向きに突設されている。また、開口３１ａ内側面の最下部において、金属製の下部電極軸３５が上部電極軸３４と対向するように上向きに突設されている。上部電極軸３４及び下部電極軸３５は、ともに中空円筒状に形成され、中空内部には冷却パッド３８又は冷却パッド４８内に冷却水を循環させるための図示しない冷却水供給管と冷却水排出管とが挿通されている。また、ガントリ３０は、開口３１ａを囲む外周側で周方向移動可能な回転部（図示せず）を内蔵しており、上部電極軸３４を支持する電極支持部３３は、その回転部において径方向に伸縮可能に設けられている。
【００３３】
上部電極アタッチメント３６は、上部電極軸３４に着脱可能に装着される電極アタッチメントであって、円盤電極３７と、冷却パッド３８とを備えている。
【００３４】
円盤電極３７は、円盤状を呈する電極板であって、下面は冷却パッド３８で覆われている。円盤電極３７は、中心に係合穴３７ａが形成されており、この係合穴３７ａに上部電極軸３４が挿入され且つ係合することによって、上部電極アタッチメント３６が上部電極軸３４に装着される。
【００３５】
冷却パッド３８は、ウレタンフィルム等の柔軟性のある樹脂材料等からなるドーム状部材であって、内部を冷却水が循環するようになっている。
【００３６】
下部電極アタッチメント４６は、下部電極軸３５に着脱可能に装着される電極アタッチメントであって、円盤電極４７と、冷却パッド４８とを備えている。円盤電極４７は、円盤状を呈する電極板であって、上面は冷却パッド４８で覆われている。円盤電極４７及び冷却パッド４８は、それぞれ円盤電極３７、冷却パッド３８と同様の物であるので、詳細説明を省略する。尚、以下の説明において、円盤電極３７，４７を単に電極３７，４７とも称する。
【００３７】
尚、上部電極アタッチメント３６及び下部電極アタッチメント４６は、円盤電極３７、４７の直径（電極径φ）の異なる複数種類が用意されており、治療部位に適したサイズの物を選択して使用される。
【００３８】
高周波発生装置５０は、一対の円盤電極３７，４７に印加される数ＭＨｚ（例えば、８ＭＨｚ）の高周波を発生する装置である。高周波発生装置５０は、図３のブロック図に示すように、電源回路５１と、高周波発生回路５２と、整合回路５３と、高周波電力計５４と、制御回路５５と、通信回路５９とを備えて構成される。
【００３９】
電源回路５１は、高周波発生回路５２に電源を供給する電気回路である。電源回路５１は、商用電源を変圧及び整流して所定電圧の直流電源を生成し、生成された直流電源を高周波発生回路５２に供給する。
【００４０】
高周波発生回路５２は、自励発振方式により数ＭＨｚ（例えば、８ＭＨｚ）の高周波を発生する電気回路であって、数１０Ｗ〜数１００Ｗから１５００Ｗの範囲で出力が変更可能になっている。高周波発生回路５２の出力は、制御回路５５からの出力制御信号によって制御される。
【００４１】
整合回路５３は、高周波発生回路５２と円盤電極３７，４７間に配置される負荷である患者１００とのインピーダンス整合を行う電気回路であって、制御回路５５から調整可能となっている。
【００４２】
高周波電力計５４は、円盤電極３７，４７間の患者１００に供給される高周波電力を計測する装置である。高周波電力計５４は、円盤電極３７，４７への入射電力Ｐｉと円盤電極３７，４７からの反射電力Ｐｒを検出し、入射電力Ｐｉと反射電力Ｐｒとの差を算出することにより、負荷である患者１００側に供給された供給電力Ｐｓを求める。供給電力Ｐｓの値は、制御回路５５を介してコンソール６０へ送られて画面表示される。
【００４３】
制御回路５５は、中央演算装置（ＣＰＵ）やＲＯＭ、ＲＡＭ、ハードディスク等の記憶部を有するコンピュータを備えた装置であって、コンソール６０からの入力に応じて電源回路５１、高周波発生回路５２、整合回路５３を制御する。
【００４４】
すなわち、制御回路５５は、コンソール６０からの起動指令によって電源回路５１を起動する。また、制御回路５５は、最大出力を超えないように高周波発生回路５２の出力制御を行う。
【００４５】
また、制御回路５５は、整合回路５３の調整を行う処理や、高周波電力計５４から受け取った供給電力Ｐｓの値をコンソール６０へ送る処理を行う。更に、制御回路５５は、冷却パッド３８，４８へ冷却水を循環させるための図示しないポンプを動作制御する処理を行う。
【００４６】
通信回路５９は、外部機器との間で通信回線を介してデータの送受信を行うための電子回路であって、通信回線ＩＮＴに接続されている。通信回路５９は、制御回路５５より出力された装置の異常に関する情報を通信回線ＩＮＴ経由で管理サーバ２０１へ送信する。
【００４７】
コンソール６０は、医師等の操作者による入力操作や各種表示を行うための入出力装置であって、例えば、タッチパネル装置によって構成される。すなわち、コンソール６０を介して操作者より入力された情報は制御回路５５へ送られ、制御回路５５から送られる各種の出力が画面表示される。
【００４８】
次に、制御回路５５において実行される異常検出通報処理の流れについて、図５のフローチャートを参照しつつ説明する。まず、ステップ１で高周波温熱治療装置１の運転を開始する。以下、ステップ１をＳ１と略記する。他のステップも同様である。
【００４９】
次に、Ｓ２で、高周波発生回路５２による発振が正常か否かを判定する。Ｓ２でＮｏの場合、発振不良であるとし、Ｓ６で「発振不良」を表す異常コード（例えば、「１０１」）を通信回路５９から管理サーバ２０１へ通信回線ＩＮＴ経由で送信する。
【００５０】
Ｓ２でＹｅｓの場合、Ｓ３でコンソール６０から動作指令の入力があったか否かを判定する。Ｓ３でＮｏの場合、Ｓ２へ戻る。
【００５１】
Ｓ３でＹｅｓの場合、Ｓ４で動作指令を実行する。例えば、コンソール６０からの動作指令が寝台１０の上下動作であれば、寝台１０の上下動作、すなわち寝台１０を上昇又は加工させる動作を実行する。動作指令が円盤電極３７を支持する電極支持部３３の回転動作であれば、電極支持部３３の回転動作、すなわちガントリ３０に内蔵された回転部（図示せず）を開口３１ａ径外側で周方向に移動させる動作を実行する。動作指令が電極支持部３３の伸縮動作であれば、電極支持部３３の伸縮動作、すなわち電極支持部３３を開口
３１ａ内で径方向に伸縮させる動作を実行する。
【００５２】
次に、Ｓ５でＳ４の動作が完了したかどうかを判定する。例えば、動作指令が寝台１０の上下動作であれば、所定時間内に寝台１０が所定高さだけ又は所定位置まで上昇又は下降したかどうかを判定する。動作指令が電極支持部３３の回転動作であれば、所定時間内に電極支持部３３が所定角度だけ又は所定位置まで回転したかどうかを判定する。動作指令が電極支持部３３の伸縮動作であれば、所定時間内に電極支持部３３が所定長さだけ又は所定位置まで伸長又は収縮したかどうかを判定する。
【００５３】
Ｓ５でＮｏの場合、動作不良であるとし、Ｓ６で異常の種類、すなわち動作不良の発生部位や内容を表す異常コードを、通信回路５９から管理サーバ２０１へ通信回線ＩＮＴ経由で送信する。例えば、寝台１０の上下動作不良の場合、異常コードとして「２０１」を送信する。電極支持部３３の回転動作不良の場合、異常コードとして「３０１」を送信する。電極支持部３３の伸縮動作不良の場合、異常コードとして「３０２」を送信する。
【００５４】
Ｓ６で異常コードを送信した後、Ｓ７で高周波温熱治療装置１の運転を停止し、本ルーチンの処理を終了する。
【００５５】
次に、メンテナンス業者に設置される管理サーバ２０１の動作について説明する。管理サーバ２０１は、高周波温熱治療装置１から送信された異常通報を通信回線ＩＮＴ経由で受信すると、当該装置の異常に関する情報を画面表示する。図６は、管理サーバ２０１における画面表示の一例を示す図である。
【００５６】
管理サーバ２０１には、図６に示すように、高周波温熱治療装置１の管理画面２０２が画面表示される。管理画面２０２には、各高周波温熱治療装置１を識別するためのＩＤコード、当該装置が設置されている医療機関の名称及び所在地が表示される。また、管理画面２０２には、当該装置から受信した異常通報に関する情報が、過去の受信履歴と共に表示される。
【００５７】
管理画面２０２には、具体的には、異常通報の受信日時、異常コード、発生部位、異常内容、ステータスが表示される。受信日時は、管理サーバが異常通報を受信した日時であり、最新の異常通報の受信日時には「新着」が表示される。異常コードは、異常の種類を表すコードであり、異常コードに対応する発生部位及び異常内容が表示される。ステータスの項目には、各異常通報の処置状況が「解決済み」又は「未解決」のいずれかで表示される。管理サーバ２０１は、新たに異常通報を受信すると管理画面を直ちに更新するので、常に最新の情報が表示されることになる。
【００５８】
管理サーバ２０１のオペレータは、管理画面２０２を視認することで、管轄する地域の各医療機関に設置された高周波温熱治療装置１における異常の発生状況を直ちに知ることができる。オペレータは、管理画面２０２の表示によって異常の発生を知ると、異常が発生した高周波温熱治療装置１が設定される医療機関の担当者へ速やかに連絡を取り、サービスエンジニアを派遣する等の対応をすることができる。また、サービスエンジニアは、今回の異常通報の内容に基づいて準備し、速やかに修理や部品交換を行うことができる。さらに、サービスエンジニアは、過去の異常通報履歴も参考にして修理を行うことができる。例えば、異常コードが「発振不良」を表す「１０１」の場合、サービスエンジニアは、高周波発振回路５２の構成部品である真空管を新品と交換するための準備を行い、異常通報の発信元である医療機関へ向かうことができる。
【００５９】
以上詳述したことから明らかなように、本実施形態の高周波温熱治療装置１は、患者１００の患部１０１を挟んで対向する一対の円盤電極３７，４７を備え、高周波を発振して一対の電極間に高周波電力を印加し、誘電加熱によって患部を温熱治療する高周波温熱治療装置において、装置１内の異常を検知する異常検知部（制御回路５５，Ｓ２，Ｓ５）と、異常検知部によって検知された異常に関する情報を、通信回線ＩＮＴを介して外部へ通報する通報部（制御回路５５，通信回路５９，Ｓ６）と、を備えている。
【００６０】
この構成によれば、異常検知部が装置１内の異常を検知すると、通報部が異常検知部によって検知された異常に関する情報を、通信回線ＩＮＴを介して外部へ通報する。よって、装置に異常が発生した場合に通信回線ＩＮＴを介して外部のメンテナンス業者等へ自動的に通報が行われることにより、装置の異常をメンテナンス業者等が遠隔で管理可能な高周波温熱治療装置１を提供することができるという効果を奏する。
【００６１】
また、異常検知部（Ｓ２）は、高周波の発振不良を検知する。
【００６２】
この構成によれば、高周波の発振不良が発生した場合に異常検知部がこれを検知し、通報部が高周波の発振不良を外部へ通報するので、通報を受けたメンテナンス業者等は交換部品である真空管を交換する準備等を行って速やかに修理することができるという効果を奏する。
【００６３】
また、異常検知部（Ｓ４）は、所定の動作指令に対して前記動作指令に対応する動作が完了しなかったことを検知する。
【００６４】
この構成によれば、所定の動作指令に対して動作指令に対応する動作が完了しなかった場合に異常検知部がこれを検知し、通報部が動作不良を外部へ通報することができるという効果を奏する。
【００６５】
また、患者１００を載置可能であり且つ指令に応じて上下動作可能な寝台１０を備え、異常検知部（Ｓ４）は、寝台１０を上下動作させる指令に対して上下動作が完了しなかったことを検知する。
【００６６】
この構成によれば、寝台１０を上下動作させる指令に対して上下動作が完了しなかった場合に異常検知部がこれを検知し、通報部が寝台１０の上下動作不良を外部へ通報することができるという効果を奏する。
【００６７】
また、円盤電極３７を支持する電極支持部３３と、寝台１０を出し入れ可能な開口３１ａを有し且つ電極支持部３３を指令に応じて開口３１ａ周りに回転動作可能なガントリ３０と、を備え、異常検知部（Ｓ４）は、電極支持部３３を回転動作させる指令に対して回転動作が完了しなかったことを検知する。
【００６８】
この構成によれば、電極支持部３３を回転動作させる指令に対して回転動作が完了しなかった場合に異常検知部がこれを検知し、通報部が電極支持部３３の回転動作不良を外部へ通報することができるという効果を奏する。
【００６９】
また、電極支持部３３を指令に応じて開口３１ａ内で伸縮動作可能なガントリ３０を備え、異常検知（Ｓ４）部は、電極支持部３３を伸縮動作させる指令に対して伸縮動作が完了しなかったことを検知する。
【００７０】
この構成によれば、電極支持部３３を伸縮動作させる指令に対して伸縮動作が完了しなかった場合に異常検知部がこれを検知し、通報部が電極支持部３３の伸縮動作不良を外部へ通報することができるという効果を奏する。
【００７１】
また、遠隔管理システム２００は、高周波温熱治療装置１と、通信回線ＩＮＴを介して高周波温熱治療装置から通報された異常に関する情報を受信する管理サーバ２０１と、を備えている。
【００７２】
この構成によれば、高周波温熱治療装置１が装置内の異常に関する情報を通報すると、管理サーバ２０１は通信回線ＩＮＴを介して異常に関する情報を受信する。よって、メンテナンス業者等に設置された管理サーバ２０１において高周波温熱治療装置１の異常を遠隔で管理可能な遠隔管理システム２００を提供することができるという効果を奏する。
【００７３】
尚、本発明は、上述した実施の形態に限定されるものではなく、本発明の主旨を逸脱しない範囲で種々に変更を施すことが可能である。
【００７４】
例えば、上記実施形態では、所定の動作指令に対して動作指令に対応する動作が完了しなかったことを検知し、外部へ通報する例として、寝台１０の上下動作、電極支持部３３の回転動作及び伸縮動作を示したが、これらには限られない。これら以外の如何なる動作指令に対しても、対応する動作が完了しなかった場合にこれを検知して外部へ通報するように構成してもよい。
【符号の説明】
【００７５】
１    高周波温熱治療装置
１０    寝台
３０    ガントリ
３１ａ  開口
３３    電極支持部
３７    円盤電極（電極）
４７    円盤電極（電極）
５５    制御回路（異常検知部、通報部）
５９    通信回路（通報部）
１００    患者
１０１    患部
２００    高周波温熱治療装置の遠隔管理システム
２０１    管理サーバ
ＩＮＴ    通信回線
【図１】
2018130459.tif 000003
【図２】
2018130459.tif 000004
【図３】
2018130459.tif 000005
【図４】
2018130459.tif 000006
【図５】
2018130459.tif 000007
【図６】
2018130459.tif 000008